(57)【要約】      （修正有）【課題】ゴルフバッグの胴体シートを簡単に交換できる組み合わせ式ゴルフバッグを提供する。【解決手段】ゴルフバッグの上部フレーム０１と、底部フレーム０３と、主胴体シートをリベット１１方式によって一つの個体に仕上げる。スロットを有するつっかい棒１２と、主胴体シートと、係合バーを有する副胴体シート１４が、係合バーと、スロットと、留めボタン１０の組み合わせ方式によって、容易に取り外して交換できる。ハンドルはハンドル本体１８に様々な色調のプラスチックストリップを用いて、ハンドルの大きさと色組み合わせができる。ゴルフバッグの胴体シートを自由に組み合わせるほか、交換が簡単、保守も極めて便利であり、ゴルフバッグの部品はすべて回収利用できる長所がある。【選択図】図１０
0003218357.tif 000002
【実用新案登録請求の範囲】
【請求項１】
上部フレームと、底部フレームと、つっかい棒と、主胴体シートと、副胴体シートと、ハンドルとを備える、組み立て式ゴルフバッグであって、
前記つっかい棒の外壁にスロットバーを設け、
前記主胴体シートの内面に格子状クラブ仕切りシートを設け、外壁に前記スロットバーを設け、上端と下端にそれぞれ留めボタンを設け、
前記副胴体シートの左右外壁に前記係合バーを設け、上端と下端に前記留めボタンを設け、
前記ゴルフバッグに自由に組み立てるハンドルを取り付けることを特徴とする、組み合わせ式ゴルフバッグ。
【請求項２】
前記複数の外壁に前記スロットバーを設けられた前記つっかい棒によって、前記副胴体シートの前記係合バーに係合することによって、前記副胴体シートを前記つっかい棒の前記スロットに係合されることを特徴とする、請求項１記載の組み合わせ式ゴルフバッグ。
【請求項３】
前記主胴体シートの外壁に複数のスロットバーを設けて、前記副胴体シートの前記係合バーに係合することによって、前記副胴体シートを前記主胴体シートの前記スロットに係合されることを特徴とする、請求項１記載の組み合わせ式ゴルフバッグ。
【請求項４】
前記主胴体シートの上端と下端にそれぞれ複数の留めボタンを設けて、前記副胴体シートの上端と下端に相応する前記留めボタンを留めることを特徴とする、請求項１記載の組み合わせ式ゴルフバッグ。
【請求項５】
前記副胴体シートの外壁に設けられた係合バーは、片側を前記つっかい棒の前記スロットに係合し、同時に片側を前記主胴体シートの前記スロットに係合して、前記副胴体シートを前記つっかい棒と、前記主胴体シートに固定することを特徴とする、請求項１ないし請求項３記載の組み合わせ式ゴルフバッグ。
【請求項６】
前記外壁に設けるスロットバーと、裏面に格子状クラブ仕切りシートを設けられた前記主胴体シートと、前記上部フレーム、前記底部フレームをリベット方式によって、一つの個体に仕上げた上、複数の外壁にスロットバーを設けられた前記つっかい棒を取り付けて、前記つっかい棒を前記上部フレームと、前記底部フレーム孔部に固定した後、前記底部フレーム足留めに留めて、最後に前記係合バーを有する前記副胴体シートをそれぞれ前記つっかい棒と前記主胴体シートの前記スロットに係合させ、前記上端と前記下端の留めボタンを留めて、組み立てを完了することを特徴とする、請求項１ないし請求項５記載の組み合わせ式ゴルフバッグ。
【請求項７】
自由に組み立てる前記ハンドルはハンドル本体とプラスチックストリップの２つ部分によって組み合わせられ、前記ハンドル本体に凹み溝を設け、両端にかかりを設け、前記プラスチックストリップにサイズ違いと色違いを分けてあり、前記プラスチックストリップを前記ハンドル本体の前記凹み溝に取り付けて、前記プラスチックストリップの両端を前記ハンドル本体両端のかかりに取り付けることを特徴とする、請求項１記載の組み合わせ式ゴルフバッグ。
【請求項８】
前記スロットバー、前記係合バー、前記ハンドルの前記プラスチックストリップが円形、楕円形、四方形または多辺形いずれか一つの形状であることを特徴とする、請求項１記載の組み合わせ式ゴルフバッグ。
【考案の詳細な説明】
【技術分野】
【０００１】
本考案は、フィトネスとレクリエーション器材の分野に関し、特に組み合わせ式ゴルフバッグに関する。
【背景技術】
【０００２】
従来のゴルフバッグは、上部フレームと、底部フレームと、バッグ胴体シートと、つっかい棒によって構成し、各部品とも縫製とリベット方式によって、一つの個体に仕上げる。また、いったん固定すると、それぞれの部品の繰り返し使用はできない。
【先行技術文献】
【特許文献】
【０００３】
【特許文献１】中国特許番号２０１６２０４３３６４６．３
【考案の概要】
【考案が解決しようとする課題】
【０００４】
または既存の技術では、ゴルフバッグに関わる特許多くは上部フレームと、底部フレームがサブフレームと組み合わせて構成し、胴体シートはすべて一枚式であり、仕上げ加工が複雑で、しかもいったん組み立て完了後、専業の者以外には取り外しや修正が困難であった。
【０００５】
中国特許番号２０１６２０４３３６４６３、自由取外し可能なゴルフバッグ（特許文献１）によれば、その組立方法は、上部フレーム、胴体シート、底部フレームを継ぎ合わせて構成される。しかし、いったん組み立て完了後、非専業者によって取り外すと、留めボタンを損傷しやすい。さらに、胴体シートの加工工法が複雑な一枚式で出来ているため、ある部分が損傷すると、再加工の作業が煩雑で、損耗も大きい。
【０００６】
製品自体が加工仕上げ、複雑に継ぎ合わせた構造設計であるため、ゴルフバッグに一つの部品が損傷すると、工場に戻して修理または廃棄処分しなければならず、資源の合理的な利用ができなく、環境保護の流れにそぐわない。それに加えて、消費者による製品の胴体シートの選択余地が少なく、自ら任意に組み合わせことができず、資源の浪費となる。
【０００７】
それに加えて、ゴルフバッグハンドルのサイズが固定していて、消費者のニーズに従って、自分に適したサイズのハンドルを選ぶことができない。
【課題を解決するための手段】
【０００８】
本考案は前述した製品の欠点について、斬新タイプの組み合わせ式ゴルフバッグを提供する。
【０００９】
本考案の目的は、既存技術の不足点を克服し、自由に取り外せるゴルフバッグを提供する。本考案のゴルフバッグの上部フレームと、底部フレームと、主胴体シートをリベット方式で一つの個体に固定されている。スロットを有するつっかい棒と、係合バーを有する副胴体シートは、一目瞭然の係合バーと、スロットと、留めボタンの組み合わせ方式を採り入れることによって、副胴体シートが容易に交換できる。さらに、ハンドルサイズはハンドル本体に様々な色調のプラスチックストリップを取り付けて、ハンドルサイズと色調とを組み合わせることができ、本考案の組み合わせ式ゴルフバッグのアクセサリーがそれぞれ独立していて、消費者がより自分に適したゴルフバッグを組み合わせる。
【００１０】
本考案の目的を実現するため、以下の技術手段が用いられている。
【００１１】
本考案の組み合わせ式ゴルフバッグは、上部フレームと、下部フレームと、つっかい棒と、主胴体シートと、副胴体シートと、ハンドルとを備える。自由に組み合わせるハンドルは、ハンドル本体と、プラスチックストリップ２つの部分より組み合わせてなる。ハンドル本体に凹み溝を設け、両端にそれぞれかかりを設ける。プラスチックストリップはサイズ違いと、色違いを設けてあり、プラスチックストリップをハンドル本体の凹み溝に取り付けて、プラスチックストリップ両端をハンドル本体両端のかかりに掛けて置く。つっかい棒の外壁にスロットバーを設け、主胴体シートの内面に格子状クラブ仕切りシートを設け、外壁に複数のスロットバーを設け、上端と下端に留めボタンを設け、副胴体シートの外壁に係合バーを設ける。上部フレームと、下部フレームと、主胴体シートをリベット方式によって、一つの個体に固定した上、複数の外壁にスロットを設けるつっかい棒を取り付けて、つっかい棒を上部フレームと、下部フレームのコーナー締結部に締結させ、最後に係合バーを有する副胴体シートをつっかい棒と、主胴体シートのスロットに係合させた後、上端と下端の留めボタンを留めて、組み立てを完了する。
【考案の効果】
【００１２】
本考案は先行技術に比べて、ゴルフバッグの胴体シートを簡単に他のスタイルに交換できる。交換する際は、ゴルフバッグの副胴体シートのみを交換すれば、新シスタイルの製品に変身できる。さらに、ハンドルは様々なニーズに合わせて、サイズと色調を自由に改変できるメリットがある。
【図面の簡単な説明】
【００１３】
【図１】本考案の組み合わせ式ゴルフバッグのスロットバーの三面図である。
【図２】本考案の組み合わせ式ゴルフバッグ主胴体シートの立体図である。
【図３】本考案の組み合わせ式ゴルフバッグ上部フレームの立体図である。
【図４】本考案の組み合わせ式ゴルフバッグ底部フレームの立体図である。
【図５】本考案の組み合わせ式ゴルフバッグ上部フレームと、底部フレームと、主胴体シートを一つの個体に組み合わせた後の折り畳み図である。
【図６】本考案の組み合わせ式ゴルフバッグのスロットバーをつっかい棒に装着した態様の三面図である。
【図７】本考案の組み合わせ式ゴルフバッグ上部フレームと、底部フレームと、主胴体シートを一つの個体に組み合わせた後の立体図である。
【図８】本考案の組み合わせ式ゴルフバッグの係合バーを示す三面図である。
【図９】本考案の組み合わせ式ゴルフバッグ副胴体シートを示す三面図である。
【図１０】本考案の組み合わせ式ゴルフバッグの組み立て図である。
【図１１】本考案の組み合わせ式ゴルフバッグハンドル本体を示す三面図である。
【図１２】本考案の組み合わせ式ゴルフバッグのプラスチックストリップを示す図である。
【図１３】本考案の組み合わせ式ゴルフバッグハンドル本体とプラスチックストリップの組み立て図である。
【考案を実施するための形態】
【実施例】
【００１４】
図１ないし１０に示すとおり、本考案は、上部フレーム０１と、主胴体シート０２と、底部フレーム０３と、ハンドル本体１８と、つっかい棒１２と、係合バー１３と、副胴体シート１４によって組み立てる。
【００１５】
図１、２、７に示すとおり、まず格子状クラブ仕切りシート０８をミシン目０９によって主胴体シート０２の内壁に固定し、スロットバー０６はミシン目０７を介して、主胴体シート０２の内壁１７に固定させ、スロットバー０６をミシン目０７によって、主胴体シート０２の外壁に固定させた上、主胴体シート０２の外壁に固定させ、主胴体シート０２の上端と、下端に留めボタン１０を留めておく。
【００１６】
引き続き、ハンドル本体１８の上端をリベット１１によって、主胴体シート０２に固定させ、ハンドル本体１８の下端を固定のミシン目２２によって、主胴体シート０２に固定して置く。
【００１７】
図５に示すとおり、上部フレーム０１と、主胴体シート０２と、底部フレーム０３がリベット１１によって、一つの個体に固定して、折り畳みに便利し、搬送スペースを軽減できる。
【００１８】
図１、６に示すとおり、スロットバー０６をつっかい棒１２に装着して、一つの個体に固定する。
【００１９】
図１ないし図７に示すとおり、上部フレーム０１と、主胴体シート０２と、底部フレーム０３を一つの個体に固定した後、つっかい棒１２によって、それぞれ上部フレーム支柱穴０４と、下部フレーム支柱穴０５に固定した後、底部フレーム０３のコーナー締結部１６に締結することによって、つっかい棒１２を固定して置き、ゴルフバッグを広げて伸ばす。
【００２０】
図８、９に示すとおり、ミシン目１５によって、係合バー１３をゴルフバッグの副胴体シート１４左右側の外壁に固定し、ゴルフバッグの副胴体シート１４の上端と下端にそれぞれ留めボタン１０を留める。
【００２１】
図６ないし図１０に示すとおり、ゴルフバッグの副胴体シート１４左右側の外壁にある係合バー１３をそれぞれつっかい棒１２のスロットバー０６に係合した上、ゴルフバッグの副胴体シート１４の留めボタン１０をゴルフバッグの主胴体シート０２に対応する留めボタン１０を留め合わせて、副胴体シート１４を主胴体シート０２とつっかい棒１２に固定して置く。
【００２２】
副胴体シート１４を交換必要があるときは、副胴体シート１４の上端と下端の留めボタン１０を外せば、係合バーと１３スロット構造から副胴体シート１４を簡単に取り外せる。
【００２３】
図６ないし図１０に示すとおり、ゴルフバッグの副胴体シー１４左右外壁にある係合バー１３は、それぞれの位置に応じて、主胴体シート０２のスロットバー０６に係合すると共に、つっかい棒のスロットバー０６に係合することができる。
【００２４】
図１１ないし図１３に示すとおり、ハンドル本体１８の凹み溝１９にサイズ違いと色調違いのプラスチックストリップ２１を取り付けて、プラスチックストリップ２１の両端をそれぞれハンドルに設けられたかかり２０にかけて、プラスチックストリップ２１をハンドル１８の凹み溝１９に固定し、プラスチックストリップ２１を交換すれば、ハンドルサイズと色調を改変できる。
【００２５】
係るスロットバー０６、係合バー１３、ハンドルのプラスチックストリップ２１が円形、楕円形、四方形または多辺形いずれか一つの形状に仕上げることができる。
【００２６】
本考案は当業者であれば、前述実施例の詳細内容に限定することなく、本考案の基本特徴を背くことなく、他の態様で実現することは可能である。よって、いずれにせよ、実施例はあくまでも示範目的であり、本考案になんらの制限を加えるものではない。詳細内容と長所を含む本考案の特徴と優位性は、生産加工における類似変化、特に類似構造と形状も、なお本考案の請求範囲に含まれることを申し上げたい。
【符号の説明】
【００２７】
０１    上部フレーム
０２    主胴体シート
０３    底部フレーム
０４    上部フレーム支柱穴
０５    下部フレーム支柱穴
０６    スロットバー
０７    ミシン目
０８    格子状クラブ仕切りシート
０９    ミシン目
１０    留めボタン
１１    リベット
１２    つっかい棒
１３    係合バー
１４    副胴体シート
１５    ミシン目
１６    コーナー締結部
１７    内壁
１８    ハンドル本体
１９    ハンドル凹み溝
２０    ハンドルかかり
２１    プラスチックストリップ
２２    固定のミシン目
【図１】
0003218357.tif 000003
【図２】
0003218357.tif 000004
【図３】
0003218357.tif 000005
【図４】
0003218357.tif 000006
【図５】
0003218357.tif 000007
【図６】
0003218357.tif 000008
【図７】
0003218357.tif 000009
【図８】
0003218357.tif 000010
【図９】
0003218357.tif 000011
【図１０】
0003218357.tif 000012
【図１１】
0003218357.tif 000013
【図１２】
0003218357.tif 000014
【図１３】
0003218357.tif 000015
【手続補正書】
【提出日】平成30年8月6日(2018.8.6)
【手続補正１】
【補正対象書類名】実用新案登録請求の範囲
【補正対象項目名】全文
【補正方法】変更
【補正の内容】
【実用新案登録請求の範囲】
【請求項１】
上部フレームと、底部フレームと、つっかい棒と、主胴体シートと、副胴体シートと、ハンドルとを備える、組み立て式ゴルフバッグであって、
前記つっかい棒の外壁にスロットバーを設け、
前記主胴体シートの内面に格子状クラブ仕切りシートを設け、外壁に前記スロットバーを設け、上端と下端にそれぞれ留めボタンを設け、
前記副胴体シートの左右外壁に係合バーを設け、上端と下端に前記留めボタンを設け、
前記ゴルフバッグに自由に組み立てるハンドルを取り付けることを特徴とする、組み合わせ式ゴルフバッグ。
【請求項２】
前記複数の外壁に前記スロットバーを設けられた前記つっかい棒によって、前記副胴体シートの前記係合バーに係合することによって、前記副胴体シートを前記つっかい棒のスロットに係合されることを特徴とする、請求項１記載の組み合わせ式ゴルフバッグ。
【請求項３】
前記主胴体シートの外壁に複数のスロットバーを設けて、前記副胴体シートの前記係合バーに係合することによって、前記副胴体シートを前記主胴体シートのスロットに係合されることを特徴とする、請求項１記載の組み合わせ式ゴルフバッグ。
【請求項４】
前記主胴体シートの上端と下端にそれぞれ複数の留めボタンを設けて、前記副胴体シートの上端と下端に相応する前記留めボタンを留めることを特徴とする、請求項１記載の組み合わせ式ゴルフバッグ。
【請求項５】
前記副胴体シートの外壁に設けられた係合バーは、片側を前記つっかい棒のスロットに係合し、同時に片側を前記主胴体シートのスロットに係合して、前記副胴体シートを前記つっかい棒と、前記主胴体シートに固定することを特徴とする、請求項１ないし請求項３のいずれか１項に記載の組み合わせ式ゴルフバッグ。
【請求項６】
前記外壁に設けるスロットバーと、裏面に格子状クラブ仕切りシートを設けられた前記主胴体シートと、前記上部フレーム、前記底部フレームをリベット方式によって、一つの個体に仕上げた上、複数の外壁にスロットバーを設けられた前記つっかい棒を取り付けて、前記つっかい棒を前記上部フレームと、前記底部フレームの孔部に固定した後、前記底部フレームの足留めに留めて、最後に前記係合バーを有する前記副胴体シートをそれぞれ前記つっかい棒と前記主胴体シートのスロットに係合させ、前記上端と前記下端の留めボタンを留めて、組み立てを完了することを特徴とする、請求項１ないし請求項５のいずれか１項に記載の組み合わせ式ゴルフバッグ。
【請求項７】
自由に組み立てる前記ハンドルはハンドル本体とプラスチックストリップの２つ部分によって組み合わせられ、前記ハンドル本体に凹み溝を設け、両端にかかりを設け、前記プラスチックストリップにサイズ違いと色違いを分けてあり、前記プラスチックストリップを前記ハンドル本体の前記凹み溝に取り付けて、前記プラスチックストリップの両端を前記ハンドル本体両端のかかりに取り付けることを特徴とする、請求項１記載の組み合わせ式ゴルフバッグ。
【請求項８】
前記スロットバー、前記係合バー、前記ハンドルのプラスチックストリップが円形、楕円形、四方形または多辺形いずれか一つの形状であることを特徴とする、請求項１記載の組み合わせ式ゴルフバッグ。